(57)【要約】【課題】  サテライト基地にＬＮＧをバルク容器単位で搬送設置し、そのＬＮＧの状態情報を管理基地が常時把握することで、サテライト基地において安全に使用すると共に、バルク容器内のＬＮＧの貯残量の監視、バルク容器の交換時期の決定等を一元管理することにより、ＬＮＧを安全かつ物流システムの最適化を図る。【解決手段】  バルク容器２に充填したＬＮＧの状態を管理するための測定手段１６、１７と、バルク容器２に充填したＬＮＧの消費量と残量を管理するための測定手段１８、１９、２０と、バルク容器２の保安防災をするために、バルク容器２の傾斜角度を測定するタンク傾斜角度測定手段２２等を備えた。【選択図】  図６
2005133735.tif 000002
【特許請求の範囲】
【請求項１】
ＬＮＧを搬送するときに用いるトレーラー型のバルク容器（２）をそのままサテライト基地（３）の貯蔵用タンクとして使用するＬＮＧ供給用のバルク容器（２）であって、
前記バルク容器（２）に充填したＬＮＧの状態を管理するために、該バルク容器（２）の貯蔵槽内の内部と外部の温度を測定する温度測定手段（１６）及び該貯蔵槽内の圧力を測定する圧力測定手段（１７）と、
前記バルク容器（２）に充填したＬＮＧの消費量と残量を管理するために、ＬＮＧの供給流量を測定する流量測定手段（１８）及びＬＮＧの貯蔵槽内の残量レベルを測定するＬＮＧタンク残量レベル測定手段（１９）と、
前記バルク容器（２）に充填したＬＮＧの品質を管理するために、ＬＮＧの熱量を測定する燃料熱量測定手段（２０）と、
前記バルク容器（２）の保安防災をするために、前記バルク容器（２）の傾斜角度を測定するタンク傾斜角度測定手段（２２）と、
前記温度測定手段（１６）、前記圧力測定手段（１７）、前記流量測定手段（１８）、前記ＬＮＧタンク残量レベル測定手段（１９）、前記燃料熱量測定手段（２０）又は前記タンク傾斜角度測定手段（２２）と、主にＬＮＧの貯残量を監視すると共に、前記バルク容器（２）の状態情報を常時把握する管理基地（６）とを連絡する通信インターフェイス（２１）と、を備えた、
ことを特徴とするＬＮＧ供給用のバルク容器。
【請求項２】
前記バルク容器（２）の保安防災をするために、該バルク容器（２）からＬＮＧガスの漏洩の有無を検知するガス漏洩検知手段（２３）を、更に備えた、ことを特徴とする請求項１のＬＮＧ供給用のバルク容器。
【請求項３】
前記バルク容器（２）からの出火を検出する火気検出手段（２４）を、更に備えた、ことを特徴とする請求項１のＬＮＧ供給用のバルク容器。
【請求項４】
前記バルク容器（２）の振動を検出する振動検出手段（２５）を、更に備えた、ことを特徴とする請求項１のＬＮＧ供給用のバルク容器。
【請求項５】
前記バルク容器（２）への侵入者を監視する侵入者監視手段（２６）を、更に備えた、ことを特徴とする請求項１のＬＮＧ供給用のバルク容器。
【請求項６】
前記バルク容器（２）に、単位時間当たりのガス使用量を把握するために時計（２７）を、更に備えた、ことを特徴とする請求項１のＬＮＧ供給用のバルク容器。
【請求項７】
前記バルク容器（２）に、加温器（１０）、加圧加温器（１１）、蒸発器（１２）又は液量・減圧ユニット（１３）へのＬＮＧの供給状態を管理するために、供給弁開閉状態測定手段（２８）を、更に備えた、ことを特徴とする請求項１のＬＮＧ供給用のバルク容器。
【発明の詳細な説明】
【技術分野】
【０００１】
本発明は、ＬＮＧ（液化天然ガス）を搬送するときに用いるバルク容器をそのままサテライト基地の貯蔵用タンクとして使用し、そのＬＮＧをガス化して供給する技術に係り、特にサテライト基地におけるＬＮＧの貯残量等を監視すると共に、このバルク容器を安全に使用することができるＬＮＧ供給用のバルク容器に関するものである。
【背景技術】
【０００２】
ＬＮＧは、地中より発生するメタンガスを主成分とする可燃性ガスである天然ガスを−１６２℃に冷却して液化したガスである。この液化する際に、除塵、脱硫、脱酸素、脱湿などの前処理を行い、硫黄などの不純物を除去しているので、クリーンなエネルギーとして注目されている。このＬＮＧは、世界に広く分布し、長期に安定した供給が可能な原料である。
【０００３】
ＬＮＧは、図７に示すように、世界の産出国から各需要家、生産設備等に供給するようになっている。ＬＮＧは外国の積出基地からタンカー等を介して、例えば、日本の各港における出荷基地５１まで搬送される。出荷基地５１まで搬送されたＬＮＧはこの出荷基地５１の製造所で精製され、鉄道又は自動車による輸送容器（コンテナ）としてタンクローリー車５２でサテライト基地５３へ搬送されている。ＬＮＧは−１６２℃の超低温であるために、断熱構造を有する特殊なタンクローリー車５２で運搬する必要がある。
【０００４】
【特許文献１】このような液化ガスを貯蔵するバルク容器に関する先行技術としては、特許文献１の特開２０００−１９１８９５公報「バルク容器内残液量管理システム」に示すように、バルク容器に残量管理装置を設けて、液化石油ガス（ＬＰガス）の残液量や消費量を表示し、かつ管理する技術が提案されている。
【０００５】
この管理システムにおけるバルク容器６１は、図８に示すように、台６２上に設置されており、この台６２とバルク容器６１の間には重量センサ６３が取り付けられ、この重量センサ６３によりバルク容器６１の重量を検出するようになっている。バルク容器６１の上部には、ガス取出弁、均圧弁、安全弁が一体に組み込まれた弁機構６４と、液取入弁、液取出弁６５が設けられ、かつ、弁機構６４の上部には、重量センサ６３からの信号を受けて信号処理及び表示を行う残量管理装置６６が取り付けられている。
【０００６】
この外付けの重量センサ６３による検出信号を処理して残量管理装置６６の表示部６７に表示するようにしたので、外付けの重量センサ６３で残液量が検出できるようになっている。
【０００７】
【特許文献２】また、特許文献２の特開２００１−３３９７７５公報「ＬＰガスバルク容器の遠隔監視，保守管理および請求処理方法と請求処理システム」に示すように、ＬＰガスバルク容器の設置に伴う設備の安全性および自動給配、これに伴う請求処理を行う技術が提案されている。
【０００８】
この方法では、ＬＰガスバルク容器についてのＬＰガスの一定期間の使用量、圧力、温度、容量、地震、ガス洩れを含む監視項目について監視し、電話回線、専用線もしくはインターネットなどの通信網を介して前記監視によって取得された監視データを集中監視センタに送信し、該集中監視センタは給配車の手配を行ってＬＰガスのＬＰガスバルク容器への給配指示を行うようになっている。ＬＰガスの給配量並びにＬＰガスバルク容器の遠隔監視および保守管理についての請求処理を行う。
【０００９】
ＬＰガスバルク容器には、ＬＰガスの供給を行う配管が設けられ、これらの配管にはＦＴセンサ、ＰＴセンサ、ＴＴセンサおよびＬＴセンサが設けられる。また、地中室内でＬＰガスバルク容器の側方に洩れセンサおよび振れセンサが設けられる。
【００１０】
ＦＴセンサは流量センサ、ＰＴセンサは圧力センサ、ＴＴセンサは温度センサ、ＬＴセンサはレベルセンサである。ＬＰガスバルク容器には地震等の振れを検出する振れセンサ、洩れセンサによってガス洩れを検知するようになっている。
【発明の開示】
【発明が解決しようとする課題】
【００１１】
しかし、従来のタンクローリー車５２でＬＮＧを搬送し、サテライト基地５３においてＬＮＧタンク５４へ移し替える際には、タンクローリー車５２のタンクに供給する加圧ガスのガス圧を、ＬＮＧタンク（図示していない）に供給する加圧ガスのガス圧よりも高圧になるように制御しつつ、このタンクローリー車５２からＬＮＧを移し替える必要があるために、その手間と時間がかかるという問題を有していた。
【００１２】
また、外付けの重量センサ６３で残液量が検出できるバルク容器は、そのバルク容器中の液化石油ガス（ＬＰガス）の残液量や消費量を表示し、かつ管理するだけであった。ＬＮＧは−１６２℃の超低温であるために、断熱構造を有する特殊なバルク容器が必要であった。
【００１３】
更に、ＬＰガスバルク容器の遠隔監視，保守管理および請求処理方法と請求処理システムにあっては、そのＬＰガスの一定期間の使用量、状態情報の他に、地震，ガス洩れについては監視し、その取得された監視データを集中監視センタに送信することはできるが、上述したように、搬送可能なバルク容器をそのまま一時設置してタンクとして利用するものではなかった。
【００１４】
特に、ＬＮＧを搬送するときに用いるバルク容器をそのままサテライト基地の貯蔵用タンクと使用できるバルク容器では、このバルク容器をサテライト基地において一時設置するときは、トレーラーから切り離し、このバルク容器の車輪と支持台を用いてサテライト基地に固定するようになっている。このバルク容器は、サテライト基地におけるＬＮＧ気化器等でガス化してから各需要家や生産設備をガスを供給するために必要な設備に着脱自在に接続し、不用意にそれらの接続が外れないように固定する必要がある。従来汎用されているバルク容器では安全に使用することができないという問題を有していた。
【００１５】
本発明は、かかる問題点を解決するために創案されたものである。すなわち、本発明の目的は、サテライト基地にＬＮＧをバルク容器単位で搬送設置し、そのＬＮＧの状態情報を管理基地が常時把握することで、サテライト基地において安全に使用すると共に、バルク容器内のＬＮＧの貯残量の監視、バルク容器の交換時期の決定等を一元管理することにより、ＬＮＧを安全かつ物流システムの最適化を図ることができるＬＮＧ供給用のバルク容器を提供することにある。
【課題を解決するための手段】
【００１６】
本発明によれば、ＬＮＧを搬送するときに用いるトレーラー型のバルク容器（２）をそのままサテライト基地（３）の貯蔵用タンクとして使用するＬＮＧ供給用のバルク容器（２）であって、前記バルク容器（２）に充填したＬＮＧの状態を管理するために、該バルク容器（２）の貯蔵槽内の内部と外部の温度を測定する温度測定手段（１６）及び該貯蔵槽内の圧力を測定する圧力測定手段（１７）と、前記バルク容器（２）に充填したＬＮＧの消費量と残量を管理するために、ＬＮＧの供給流量を測定する流量測定手段（１８）及びＬＮＧの貯蔵槽内の残量レベルを測定するＬＮＧタンク残量レベル測定手段（１９）と、前記バルク容器（２）に充填したＬＮＧの品質を管理するために、ＬＮＧの熱量を測定する燃料熱量測定手段（２０）と、前記バルク容器（２）の保安防災をするために、前記バルク容器（２）の傾斜角度を測定するタンク傾斜角度測定手段（２２）と、前記温度測定手段（１６）、前記圧力測定手段（１７）、前記流量測定手段（１８）、前記ＬＮＧタンク残量レベル測定手段（１９）、前記燃料熱量測定手段（２０）又は前記タンク傾斜角度測定手段（２２）と、主にＬＮＧの貯残量を監視すると共に、前記バルク容器（２）の状態情報を常時把握する管理基地（６）とを連絡する通信インターフェイス（２１）と、を備えた、ことを特徴とするＬＮＧ供給用のバルク容器が提供される。
【００１７】
更に、前記バルク容器（２）の保安防災をするために、該バルク容器（２）からＬＮＧガスの漏洩の有無を検知するガス漏洩検知手段（２３）、前記バルク容器（２）からの出火を検出する火気検出手段（２４）、前記バルク容器（２）の振動を検出する振動検出手段（２５）、前記バルク容器（２）への侵入者を監視する侵入者監視手段（２６）、前記バルク容器（２）に、単位時間当たりのガス使用量を把握するために時計（２７）又は前記バルク容器（２）に、加温器（１０）、加圧加温器（１１）、蒸発器（１２）又は液量・減圧ユニット（１３）へのＬＮＧの供給状態を管理するために、供給弁開閉状態測定手段（２８）を備える、ことが好ましい。
【発明の効果】
【００１８】
上記発明では、サテライト基地（３）に一時設置したバルク容器（２）のＬＮＧの貯残量、そのバルク容器（２）に関する状態情報、例えば温度、内圧等を検出し、それらの情報と共に安全防災情報について、管理基地（６）へ連絡する。この連絡を受けた管理基地（６）では、その情報内容を基にＬＮＧの貯残量が所定量以下になったバルク容器（２）を交換する指示を出荷基地（１）へ連絡する。この連絡を受けた出荷基地（１）では、ＬＮＧを充填した別のバルク容器（２）を該当するサテライト基地（３）へ搬送する。
【００１９】
特に、本発明のバルク容器（２）には温度測定手段（１６）や圧力測定手段（１７）の他に、保安防災に寄与する装置としてバルク容器（２）の傾斜角度を測定するタンク傾斜角度測定手段（２２）、ガス漏洩検知手段（２３）等の装置を具備している。バルク容器（２）が傾斜し、ガス漏れ等の何らかの不具合が発生してバルク容器（２）の異常情報について、管理基地（６）が一元管理することによって、それを早期に発見することができる。そこで、バルク容器（２）に充填したＬＮＧをサテライト基地（３）において安全に供給することができる。
【発明を実施するための最良の形態】
【００２０】
以下、本発明の好ましい実施の形態を図面を参照して説明する。
本発明のＬＮＧ供給用のバルク容器は、ＬＮＧを搬送するときに用いるトレーラー型のバルク容器をそのままサテライト基地の貯蔵用タンクとして使用するようになっている。このバルク容器には、貯蔵中のＬＮＧの状態を管理する装置、供給中のＬＮＧの消費量と残量を管理する装置及びバルク容器の保安防災に寄与する装置を備えたものである。
【実施例】
【００２１】
図１は本発明のバルク容器を用いてＬＮＧを供給する際の供給方法を示す全体説明図である。
本発明のＬＮＧ供給用のバルク容器は、出荷基地１に備えたＬＮＧタンクに貯蔵されたＬＮＧをトレーラー型のバルク容器２に移し、このバルク容器２をサテライト基地３に搬送する際に使用するものである。このバルク容器２は、サテライト基地３に一時設置し、貯蔵中のＬＮＧを気化器４でガス化したＬＮＧガスを需要家５等に供給するようになっている。サテライト基地３ではコジェネレーションシステムにより電力として利用、又は排熱を給湯に利用する。管理基地６はそのサテライト基地３のバルク容器２のＬＮＧの貯残量を監視すると共に、安全に維持管理するようになっている。
【００２２】
ＬＮＧは、世界の産出国の積出基地からタンカー等を介して出荷基地１まで搬送され、製造所において除塵、脱硫、脱酸素、脱湿などの前処理を行い、硫黄などの不純物を除去した液化ガスに精製される。このＬＮＧは、出荷基地１に備えたＬＮＧタンクに貯蔵し、このＬＮＧをトレーラー型のバルク容器２に充填して搬送する。
【００２３】
図２は本発明のバルク容器を示す正面図である。図３はバルク容器をトレーラーで牽引した状態を示す正面図である。
本発明のバルク容器２は、図２に示すように、構造的には従来のタンクローリー車のタンク部分の構造と同様で、超低温のＬＮＧを貯蔵できるように断熱材構造になっている。このバルク容器２は、図３に示すように、サテライト基地３に搬送するときに、このバルク容器２自体に車輪７を取り付け、トレーラー８で牽引して出荷基地１とサテライト基地３間を搬送するようになっている。
【００２４】
図４は本発明のＬＮＧ供給用のバルク容器の他の実施の形態を示す正面図である。
本発明のバルク容器２は、タンク部分２aを保護する枠体９を構成することができる。このように枠体９を構成することによって汎用しているコンテナと同様に取り扱うことが可能になる。例えば、輸送船にバルク容器２の枠体９をコンテナを取り付けるように固定することができる。また、サテライト基地３においても、この枠体９をコンテナを固定するように取り付けるだけで、バルク容器２を短時間で固定設置することができる。
【００２５】
図５は本発明のバルク容器をサテライト基地において気化器等に接続した状態の平面配置図である。
本発明のバルク容器２は、サテライト基地３におけるＬＮＧ気化器４の他に、各需要家５等へガスを供給するために必要な設備が備えられている。バルク容器２は、複数の供給口と供給口切替弁を介して、加温器１０、加圧加温器１１、蒸発器１２又は液量・減圧ユニット１３に接続し、ＬＮＧのガス供給の他に、ＢＯＧの放出又は供給を選択的かつ円滑に実施し得るようになっている。これらの設備は安全を期してフェンス１４に格納されている。更にパージ用容器１５を備えている。
【００２６】
図６は本発明のＬＮＧ供給用のバルク容器の実施の形態を示す説明図である。
本発明のＬＮＧ供給用のバルク容器に充填したＬＮＧの状態管理するために種々の装置を備えている。例えば、バルク容器２の貯蔵槽内の内部と外部の温度を温度測定手段１６により測定して、バルク容器２が高温になりすぎたときは何らかの異常事態が生じていることを知ることができる。この温度測定手段１６としては、温度計等の温度センサである。また、バルク容器２の貯蔵槽内の圧力を圧力測定手段１７により測定して、バルク容器２内が高圧又は極端に低圧になったことを知ることができる。この圧力測定手段１７としては、圧力計等の圧力センサを用いる。
【００２７】
バルク容器２にはＬＮＧの消費量と残量を管理する装置を備えている。例えば、ＬＮＧの供給流量を流量計等の流量測定手段１８により測定して、バルク容器２内のＬＮＧの消費状況を知ることができる。ＬＮＧのバルク容器２の貯蔵槽内の残量レベルをＬＮＧタンク残量レベル測定手段１９により測定して、バルク容器２内のＬＮＧの残量を知ることができる。このＬＮＧタンク残量レベル測定手段１９としては、重量計等を用いる。更に、バルク容器２内のＬＮＧの品質を管理するためにＬＮＧの熱量を測定する燃料熱量測定手段２０を備えている。
【００２８】
本発明のバルク容器２では、サテライト基地３におけるＬＮＧガス使用量やガス在庫量等について、流量測定手段１８やＬＮＧタンク残量レベル測定手段１９により測定し、その測定データをサテライト基地３、管理基地６と出荷基地１とを例えば無線やインターネットのような通信インターフェイス２１を介して連絡することができる。出荷基地１ではそのガス使用量やガス在庫量等の測定データに基づいて的確にＬＮＧのバルク容器２を搬送することができる。
【００２９】
管理基地６では、各サテライト基地３のバルク容器２内におけるＬＮＧ貯残量を常時監視することにより、単位時間（時間、日、週、月等）当たりのガス使用量を把握できるので、バルク容器２内のＬＮＧ貯残量とガス使用量とから、ＬＮＧが無くなる欠品までの時間や日数を計算し、そのバルク容器２の交換時期をある程度予測することができる。それに合わせて出荷基地１においては、バルク容器２にＬＮＧの充填の準備をすることができ、効率の良い流通が可能となる。
【００３０】
このとき、例えば管理基地６では、出荷基地１からの測定データによって該当するバルク容器２又はＬＮＧの在庫量が不足する場合は、他の出荷基地１を選択する。同時に、他のサテライト基地３におけるバルク容器２のＬＮＧ貯残量を確認する。
【００３１】
本発明のバルク容器２には、上述した温度測定手段１６や圧力測定手段１７の他に、保安防災に寄与する装置を種々備えている。バルク容器２の傾斜角度をタンク傾斜角度測定手段２２により測定して、バルク容器２自体の傾きを知ることができる。バルク容器２が傾斜しているとバルク容器２に何らかの不具合、例えば気化器４との連結配管に不要な力が加わり、その配管接続部分に隙間が形成され、ガス漏れ又は液漏れの原因になることがある。そこで、バルク容器２の傾斜を早期に発見することはガス漏れ又は液漏れを未然に防止することになる。
【００３２】
バルク容器２からＬＮＧガスの漏洩の有無をガス漏洩検知手段２３により検知する。このガス漏洩検知手段２３はセンサを用いて、ＬＮＧガス、ＢＯＧ（Ｂｏｉｌ Ｏｆｆ Ｇａｓ）ガスを検知することにより、サテライト基地３において安全にガスを供給することができる。本発明のバルク容器２には、防災効果を高めるために、出火を検出する火気検出手段２４を備えている。
【００３３】
また、本発明のバルク容器２の振動を検出する振動検出手段２５を備えることにより、バルク容器２の配管接続部分からのガス漏れ又は液漏れ等を早期に発見することができる。
【００３４】
或いは、バルク容器２に侵入者監視手段２６を備えることにより、バルク容器２に危害を加えようとしている侵入者を監視して、災害を未然に防止することができる。例えば、インターネットを介して常時テレビカメラにより監視する。更に、警報装置（図示していない）を備えることにより、侵入者に警告するように構成することができる。
【００３５】
管理基地６には、バルク容器２に備えた通信インターフェイス２１を介して上述した異常状態を始め測定データを受け取り、この測定データを受け取った管理基地６では、管理サーバー、計算装置、入出力装置、表示装置及びＬＮＧバルク容器２の運用表示装置等により、出荷基地１の選択、管理基地６におけるバルク容器２の搬送のための最適ルートの検索処理し、その指示内容を所定の出荷基地１へ連絡する。
【００３６】
更に、バルク容器２には単位時間当たりのガス使用量を把握するための時計２７を備えることができる。この時計２７は、ガス使用量以外にバルク容器２の振動を検出した時間やバルク容器２に危害が加えられた時間を管理するとき等に使用する。
【００３７】
また、バルク容器２と加温器１０、加圧加温器１１、蒸発器１２又は液量・減圧ユニット１３に接続した複数の供給口についてＬＮＧの供給状態を管理するために、供給弁開閉状態測定手段２８を備えることができる。
【００３８】
なお、本発明は、サテライト基地３に一時設置するＬＮＧをバルク容器２に、ＬＮＧの残量、状態情報及び安全管理手段を設けたことで、バルク容器２をサテライト基地において安全に使用することができる方法であれば、上述した発明の実施の形態に限定されず、本発明の要旨を逸脱しない範囲で種々変更できることは勿論である。
【産業上の利用可能性】
【００３９】
本発明のＬＮＧ供給用のバルク容器は、バルク容器に状態情報、安全防災情報に関する装置を装着し、管理基地において状態、貯残、異常状態等の一元管理及び運用を行うことにより、サテライト基地におけるＬＮＧのガスの安全かつ安定供給することができる。
【００４０】
更に、そのサテライト基地における異常状態の発見やその異常への迅速な対応が可能となり安全の確保、異常の監視することができる。
【図面の簡単な説明】
【００４１】
【図１】本発明のバルク容器を用いてＬＮＧを供給する際の供給方法を示す全体説明図である。
【図２】本発明のバルク容器を示す正面図である。
【図３】バルク容器をトレーラーで牽引した状態を示す正面図である。
【図４】本発明のＬＮＧ供給用のバルク容器の他の実施の形態を示す正面図である。
【図５】本発明のバルク容器をサテライト基地において気化器等に接続した状態の平面配置図である。
【図６】本発明のＬＮＧ供給用のバルク容器の実施の形態を示す説明図である。
【図７】従来のＬＮＧの供給方法を示す概略ブロック図である。
【図８】従来のバルク容器を示す一部切欠いた正面図である。
【符号の説明】
【００４２】
１  出荷基地
２  バルク容器
３  サテライト基地
５  需要家
６  管理基地
１６  温度測定手段
１７  圧力測定手段
１８  流量測定手段
１９  ＬＮＧタンク残量レベル測定手段
２０  燃料熱量測定手段
２１  通信インターフェイス
２２  タンク傾斜角度測定手段
２３  ガス漏洩検知手段
２４  火気検出手段
２５  振動検出手段
２６  侵入者監視手段
２７  時計
２８  供給弁開閉状態測定手段
【図１】
2005133735.tif 000003
【図２】
2005133735.tif 000004
【図３】
2005133735.tif 000005
【図４】
2005133735.tif 000006
【図５】
2005133735.tif 000007
【図６】
2005133735.tif 000008
【図７】
2005133735.tif 000009
【図８】
2005133735.tif 000010